【手続補正書】
【提出日】平成26年5月23日(2014.5.23)
【手続補正１】
【補正対象書類名】特許請求の範囲
【補正対象項目名】全文
【補正方法】変更
【補正の内容】
【特許請求の範囲】
【請求項１】
マルチユーザＭＩＭＯ伝送により複数のデータ系列を中継する無線中継装置であって、
自無線中継装置と中継元との間の伝搬路状態を示す第１のＣＳＩを生成する第１のＣＳＩ生成部と、
前記第１のＣＳＩを前記中継元へ送信する無線送信部と、
自無線中継装置と複数の中継先のそれぞれとの間の伝搬路状態を示す第２のＣＳＩを取得する第２のＣＳＩ取得部と、
前記中継元から自無線中継装置を含む複数の無線中継装置それぞれに向けて送信されるデータ系列が前記第１のＣＳＩに基づいて前記複数の無線中継装置間のユーザ間干渉を抑圧するプリコーディングを施されてマルチユーザMIMO伝送により同時に送信された信号を受信する無線受信部と、
前記無線受信部で受信された、自無線中継装置が複数の中継先それぞれに向けて中継伝送する複数のデータ系列に対して、伝搬路補償後に、前記取得した第２のＣＳＩに基づいて前記複数の中継先の間のユーザ間干渉を抑圧するプリコーディングを行なうプリコーディング部と、を備え、
前記プリコーディングが行なわれたデータ系列を前記複数の中継先へマルチユーザMIMO伝送により同時に送信することを特徴とする無線中継装置。
【請求項２】
前記プリコーディング部は、前記中継元から送信されたデータ系列に対して、非線形プリコーディングを行なうことを特徴とする請求項１記載の無線中継装置。
【請求項３】
前記プリコーディング部は、前記中継元から送信されたデータ系列に対して、受信信号点の仮判定を行った後にプリコーディングを行なうことを特徴とする請求項１または請求項２記載の無線中継装置。
【請求項４】
マルチユーザＭＩＭＯ伝送により複数のデータ系列を送信する無線送信装置であって、
自無線送信装置と複数の無線中継装置のそれぞれとの間の推定された伝搬路状態を示す中継局ＣＳＩを取得する中継局ＣＳＩ取得部と、
前記取得された中継局ＣＳＩに基づいて、前記複数の無線中継装置を経由して通信する複数のデータ系列に対して、前記複数の無線中継装置間のユーザ間間干渉を抑圧するプリコーディングを行なうプリコーディング部と、を備え、
前記プリコーディングが行なわれたデータ系列を前記複数の無線中継装置へマルチユーザＭＩＭＯ伝送により同時に送信することを特徴とする無線送信装置。
【請求項５】
前記プリコーディング部は、前記複数のデータ系列に対して非線形プリコーディングを行なうことを特徴とする請求項４記載の無線送信装置。
【請求項６】
中継伝送においてマルチユーザＭＩＭＯ伝送を行なう無線通信システムであって、
自無線送信装置と複数の無線中継装置のそれぞれとの間の推定された伝搬路状態を示す中継局ＣＳＩに基づいて、前記複数の無線中継装置を経由して通信する複数のデータ系列に対して、前記複数の無線中継装置間のユーザ間干渉を抑圧するプリコーディングを行ない、前記プリコーディングが行なわれたデータ系列を前記複数の無線中継装置へマルチユーザＭＩＭＯ伝送により同時に送信する無線送信装置と、
自無線中継装置と中継元との間の推定された伝搬路状態を示す第１のＣＳＩを生成して前記中継元へ送信し、前記無線送信装置から送信されたデータ系列に由来し、前記第１のＣＳＩに基づいてプリコーディングがなされ、前記中継元からマルチユーザＭＩＭＯ伝送により同時に複数の無線中継装置に送信されたデータ系列のうち、受信された自無線中継装置が複数の中継先それぞれに向けて中継伝送する複数のデータ系列に対して、自無線中継装置と複数の中継先のそれぞれとの間の推定された伝搬路状態を示す第２のＣＳＩに基づいて前記複数の中継先の間のユーザ間干渉を抑圧するプリコーディングを行ない、前記プリコーディングが行なわれたデータ系列を前記複数の中継先へマルチユーザＭＩＭＯ伝送により同時に送信する無線中継装置と、
前記第２のＣＳＩを生成して、受信されるデータ系列の送信元へ送信し、前記無線中継装置で中継されたデータ系列に由来し、前記受信されるデータ系列の送信元で前記第２のＣＳＩに基づいてプリコーディングが行なわれ、マルチユーザＭＩＭＯ伝送により同時に複数の無線受信装置へ送信されたデータ系列を受信する無線受信装置と、を備えることを特徴とする無線通信システム。
【請求項７】
前記無線送信装置から前記無線受信装置まで複数階層の無線中継装置を経由してマルチユーザＭＩＭＯ伝送を行なうことを特徴とする請求項６記載の無線通信システム。
【請求項８】
マルチユーザＭＩＭＯ伝送により複数のデータ系列の中継を制御する制御プログラムであって、
制御される無線中継装置と中継元との間の推定された伝搬路状態を示す第１のＣＳＩを生成する処理と、
前記第１のＣＳＩを前記中継元へ送信する処理と、
前記制御される無線中継装置と複数の中継先のそれぞれとの間の推定された伝搬路状態を示す第２のＣＳＩを取得する処理と、
前記制御される無線中継装置を含む複数の無線中継装置それぞれに向けて送信されるデータ系列が、前記第１のＣＳＩに基づいて前記複数の無線中継装置間のユーザ間干渉を抑圧するプリコーディングがなされ、前記中継元からマルチユーザＭＩＭＯ伝送により同時に前記複数の無線中継装置に送信されたデータ系列のうち、受信された自無線中継装置が前記複数の中継先それぞれに向けて中継伝送する複数のデータ系列に対して、伝搬路補償後に、前記取得した第２のＣＳＩに基づいて前記複数の中継先の間のユーザ間干渉を抑圧するプリコーディングを行なう処理と、
前記プリコーディングが行なわれたデータ系列を前記複数の中継先へマルチユーザＭＩＭＯ伝送により同時に送信する処理と、を含む一連の処理を、前記制御される無線中継装置に実行させることを特徴とする制御プログラム。
【請求項９】
マルチユーザＭＩＭＯ伝送により複数のデータ系列の中継を制御する集積回路であって、
制御される無線中継装置と中継元との間の推定された伝搬路状態を示す第１のＣＳＩを生成する機能と、
前記第１のＣＳＩを前記中継元へ送信する機能と、
前記制御される無線中継装置と複数の中継先のそれぞれとの間の推定された伝搬路状態を示す第２のＣＳＩを取得する機能と、
前記制御される無線中継装置を含む複数の無線中継装置それぞれに向けて送信されるデータ系列が、前記第１のＣＳＩに基づいて前記複数の無線中継装置間のユーザ間干渉を抑圧するプリコーディングがなされ、前記中継元からマルチユーザＭＩＭＯ伝送により同時に複数の無線中継装置に送信されたデータ系列のうち、受信された自無線中継装置が複数の中継先それぞれに向けて中継伝送する複数のデータ系列に対して、伝搬路補償後に、前記取得した第２のＣＳＩに基づいて前記複数の中継先の間のユーザ間干渉を抑圧するプリコーディングを行なう機能と、
前記プリコーディングが行なわれたデータ系列を前記複数の中継先へマルチユーザＭＩＭＯ伝送により同時に送信する機能と、を含む一連の機能を、前記制御される無線中継装置に発揮させることを特徴とする集積回路。
【手続補正２】
【補正対象書類名】明細書
【補正対象項目名】００９３
【補正方法】変更
【補正の内容】
【００９３】
図７は、第２の実施形態に係るプリコーディング部２０４の一構成例を示す機能ブロック図である。この一構成例のプリコーディング部をプリコーディング部２０４ｂと表す。また、図７の例を用いて、中継局装置からのＣＳＩとして基地局装置１００の各アンテナと各中継局装置の各アンテナとの間の複素伝搬路利得が通知され、非線形プリコーディングであるＴＨＰによってプリコーディングシンボルを生成する場合について説明する。